(57)【要約】【課題】レゾルバの角度を検出する角度検出装置において、常に安定かつ高精度な角度検出を行う。【解決手段】Ａ相信号ｖａ、Ｂ相信号ｖｂをデジタル変換するＡＤコンバータ１０３、１０４と、励磁信号ｓｃとサンプリング信号ｆｓとを生成する信号生成部１１と、励磁信号ｓｃの振幅調整を行う振幅調整部２０２と、ＡＤコンバータ１０３、１０４それぞれの出力値からレゾルバ２０の角度を算出する角度算出部と、ＡＤコンバータ１０３、１０４それぞれの出力値からベクトルの大きさを算出するベクトル長算出部１０６とを備える。そして、振幅調整部２０２は、ベクトル長算出部１０６が算出したベクトルの大きさに基づいて、信号生成部１１で生成する励磁信号ｓｃの振幅を調整する。【選択図】図１
2014122885.tif 000002
【特許請求の範囲】
【請求項１】
励磁信号が９０度の位相差で振幅変調されたようにレゾルバから出力される第１のレゾルバ出力信号および第２のレゾルバ出力信号に基づいて、回転角度を検出する角度検出装置であって、
前記第１のレゾルバ出力信号および前記第２のレゾルバ出力信号を、それぞれ所定のサンプリングタイミングでデジタル変換する第１のＡＤ変換器および第２のＡＤ変換器と、
前記励磁信号と前記サンプリングタイミングのサンプリング信号とを生成し、出力する信号生成部と、
前記信号生成部で生成する前記励磁信号の振幅調整を行う振幅調整部と、
前記第１のＡＤ変換器および前記第２のＡＤ変換器のそれぞれの出力値から前記レゾルバの角度を算出する角度算出部と、
前記第１のＡＤ変換器および前記第２のＡＤ変換器のそれぞれの出力値からベクトルの大きさを算出するベクトル長算出部と、を備え、
前記振幅調整部は、前記ベクトル長算出部が算出した前記ベクトルの大きさに基づいて、前記信号生成部で生成する前記励磁信号の振幅を調整することを特徴とする角度検出装置。
【請求項２】
前記ベクトルの大きさは、前記第１のＡＤ変換器の出力値と前記第２のＡＤ変換器の出力値との２乗和に基づいて、算出することを特徴とする請求項１に記載の角度検出装置。
【請求項３】
前記振幅調整部は、前記ベクトル長算出部が算出した前記ベクトルの大きさの最大値が基準振幅値とする所定の値になるように、前記励磁信号の振幅を調整することを特徴とする請求項１または２に記載の角度検出装置。
【請求項４】
前記信号生成部で生成する信号のタイミング調整を行うタイミング調整部をさらに備え、
前記タイミング調整部は、前記ベクトルの大きさが極値となるように、前記サンプリングタイミングのタイミング調整を行うことを特徴とする請求項１から３のいずれか１項に記載の角度検出装置。
【請求項５】
前記信号生成部で生成する信号のタイミング調整を行うタイミング調整部をさらに備え、
前記タイミング調整部は、前記ベクトルの大きさが極値となるように、前記励磁信号の位相のタイミング調整を行うことを特徴とする請求項１から３のいずれか１項に記載の角度検出装置。
【請求項６】
タイミング調整部が前記タイミング調整の動作中あるいは前記タイミング調整を行った後に、前記振幅調整部が、前記励磁信号の振幅を調整することを特徴とする請求項４または５に記載の角度検出装置。
【請求項７】
前記振幅調整部は、前記励磁信号の振幅の調整量と、前記ベクトル長算出部が算出した前記ベクトルの大きさとに基づき異常を判断して、エラー情報を出力することを特徴とする請求項１から６のいずれか１項に記載の角度検出装置。
【請求項８】
前記振幅調整部は、前記励磁信号の振幅の調整後のベクトル長算出部が算出した前記ベクトルの大きさが前記基準振幅値から所定の許容値より大きな値の変化が生じた時に異常と判断して、エラー情報を出力することを特徴とする請求項６に記載の角度検出装置。
【請求項９】
前記信号生成部は、前記励磁信号を生成するための矩形波パルス生成部とスイッチトキャパシタフィルタとを有することを特徴とする請求項１から８のいずれか１項に記載の角度検出装置。
【発明の詳細な説明】
【技術分野】
【０００１】
本発明は、１相励磁２相出力のレゾルバの角度検出装置に関するものである。
【背景技術】
【０００２】
従来、主に産業分野、電装分野など、モータの角度位置を検出するための手段としてレゾルバがよく用いられる。
【０００３】
モータの軸に取り付けられたレゾルバによってモータの角度位置を検出し、その検出された角度位置によってモータを制御する構成例を図１２に示す。
【０００４】
図１２は、特許文献１に記載された従来のレゾルバの角度検出装置１１０２を示すブロック図である。レゾルバ２０は、１相励磁２相出力の方式であり、モータ３０の軸に取り付けられる。レゾルバ２０は、Ａ相、Ｂ相の２相の信号を出力する。角度検出装置１１０２は、この２相の信号からレゾルバの角度位置を検出し、サーボアンプ１１２に出力する。サーボアンプ１１２は、検出された角度位置に従い、モータ３０の制御および駆動を行う。また、角度検出装置１１０２からは、励磁信号が出力され、バッファー回路１１１を経由してレゾルバ２０を励磁する。
【０００５】
次に、レゾルバの角度検出装置１１０２の内部の構成について説明する。角度検出装置１１０２は、アナログデジタルコンバータであるＡＤコンバータ１０３、１０４を備えている。ＡＤコンバータ１０３、１０４は、レゾルバ２０の出力するＡ相、Ｂ相の各アナログ信号をそれぞれデジタル値に変換する。この変換するタイミングは、サンプリング信号生成部１１０７の出力するサンプリング信号に従う。ＡＤコンバータ１０３、１０４によってデジタル値に変換されたＡ相、Ｂ相の信号は、ＲＤ変換部１０５において、レゾルバ２０の角度位置を示す信号に変換され（一般にトラッキングループなどの方法が用いられる）る。この角度位置を示す信号は、インターフェイス（Ｉ／Ｆ）処理部であるＩ／Ｆ処理部１１０を経由して、サーボアンプ１１２に出力される。サーボアンプ１１２は、検出されたレゾルバ２０の角度位置、すなわちモータ３０の角度位置に従い、モータ３０の制御および駆動を行う。
【０００６】
サンプリング信号生成部１１０７は、基準信号生成部１０８の出力する基準信号を元に位相を調整して、ＡＤコンバータ１０３、１０４にサンプリング信号を出力する。また、励磁信号生成部１０９は、基準信号生成部１０８の出力する基準信号を元に励磁信号を生成して出力する。
【０００７】
図１３（ａ）に、レゾルバ２０の出力するＡ相、Ｂ相の各信号を示す。また、図１３（ｂ）に、基準信号生成部１０８の出力する基準信号を示す。サンプリング信号生成部１１０７は、この基準信号を元に位相を調整してサンプリング信号を出力する。この場合、時刻ｔ９２、ｔ９４にてレゾルバ２０の出力するＡ相、Ｂ相の各信号の絶対値が最大となるので、このタイミングにおいて、サンプリング信号を出力する。ただし、Ａ相、Ｂ相の各信号がゼロとなる時刻ｔ９１、ｔ９３を検出し、それに１周期の１／４に相当する時刻を加算して、時刻ｔ９２、ｔ９４を求める方法もある。このように、Ａ相、Ｂ相の各信号の絶対値が、励磁信号の１周期中で最大となるタイミングにおいて、各信号をアナログデジタル変換することで、ＳＮ比の良い信号を得ることができ、レゾルバの角度位置を高精度に検出することができる。
【先行技術文献】
【特許文献】
【０００８】
【特許文献１】特開２０１１−３３６０２号公報
【発明の概要】
【発明が解決しようとする課題】
【０００９】
しかしながら、上述の従来の構成では、ＡＤコンバータに入力される信号の振幅が小さすぎた場合、ＡＤコンバータの変換分解能を有効に生かすことができず、ＳＮ比が悪化し、角度位置の検出精度や位相の調整精度の劣化を招くおそれがあった。また、逆に、ＡＤコンバータに入力される信号の振幅が大きすぎた場合、入力レンジをオーバーして飽和状態となるため、この場合にも角度位置の検出精度などの劣化を招くおそれがあった。
【００１０】
本発明は、このような従来の課題を解決するために成されたものであり、安定してかつ精度よくレゾルバの角度位置を検出できる角度検出装置を提供することを目的とする。
【課題を解決するための手段】
【００１１】
このような目的を達成するために、本発明の角度検出装置は、励磁信号が９０度の位相差で振幅変調されたようにレゾルバから出力される第１のレゾルバ出力信号および第２のレゾルバ出力信号に基づいて、回転角度を検出する角度検出装置である。本角度検出装置は、第１のレゾルバ出力信号および第２のレゾルバ出力信号をそれぞれ所定のサンプリングタイミングでデジタル変換する第１のＡＤ変換器および第２のＡＤ変換器と、励磁信号とサンプリングタイミングのサンプリング信号とを生成して出力する信号生成部と、信号生成部で生成する励磁信号の振幅調整を行う振幅調整部と、第１のＡＤ変換器および第２のＡＤ変換器のそれぞれの出力値からレゾルバの角度を算出する角度算出部と、第１のＡＤ変換器および第２のＡＤ変換器のそれぞれの出力値からベクトルの大きさを算出するベクトル長算出部とを備える。そして、振幅調整部は、ベクトル長算出部が算出したベクトルの大きさに基づいて、信号生成部で生成する励磁信号の振幅を調整する構成である。
【００１２】
このような構成によって、励磁信号を自動的に適正な振幅に調整することが可能であり、かつ断線などレゾルバの出力信号の異常をすばやく検出することも可能となる。
【００１３】
また、本発明の角度検出装置は、信号生成部で生成する信号のタイミング調整を行うタイミング調整部をさらに備え、タイミング調整部が、ベクトルの大きさが極値となるようにサンプリングタイミングのタイミング調整を行う構成である。
【００１４】
また、本発明の角度検出装置は、タイミング調整部が、ベクトルの大きさが極値となるように励磁信号の位相のタイミング調整を行う構成であってもよい。
【００１５】
このような構成によって、レゾルバから出力される各信号が最大となるタイミングを安定して精度よく検出できるので、サンプリング信号のタイミングの修正が容易かつ正確となり、温度変化あるいは経時変化なども含めてレゾルバの角度位置を常に安定して精度良く検出できる。
【００１６】
さらに、本発明のレゾルバの角度検出装置は、励磁信号生成手段としてスイッチトキャパシタフィルタを用いることで、励磁周波数の切り替えに容易に対応することが可能となる。
【発明の効果】
【００１７】
本発明の角度検出装置は、励磁信号を自動的に適正な振幅に調整することができるため、角度検出の精度を常に適正に維持することが可能となる。このため、本発明によれば、安定してかつ精度よくレゾルバの角度位置を検出可能な角度検出装置を提供できる。加えて、このような振幅調整機能を利用して、断線などレゾルバの出力信号の異常をすばやく検出することも可能となる。さらに、励磁信号を生成する手段としてスイッチトキャパシタフィルタを用いることで、励磁周波数の切り替えに容易に対応することが可能となる。
【図面の簡単な説明】
【００１８】
【図１】本発明の実施の形態１におけるレゾルバの角度検出装置およびモータ制御装置のブロック図
【図２】同、角度検出装置の主要な信号の波形を示す波形図
【図３】同、角度検出装置の振幅調整部および励磁信号生成部の一構成例を示すブロック図
【図４】同、角度検出装置の励磁信号生成部の各信号の波形を示す波形図
【図５】同、角度検出装置の最大ベクトル長の変化を示す図
【図６】同、角度検出装置において、入力信号が断線した場合の最大ベクトル長の変化を示す図
【図７】同、角度検出装置の主要な信号の他の波形例を示す波形図
【図８】本発明の実施の形態２におけるレゾルバの角度検出装置およびモータ制御装置のブロック図
【図９】同、角度検出装置の主要な信号の波形を示す波形図
【図１０】本発明の実施の形態３におけるレゾルバの角度検出装置およびモータ制御装置のブロック図
【図１１】同、角度検出装置の主要な信号の波形を示す波形図
【図１２】従来の角度検出装置およびモータ制御装置のブロック図
【図１３】従来の角度検出装置における各信号の波形図
【発明を実施するための形態】
【００１９】
以下、本発明の実施の形態について、図面を参照しながら説明する。なお、この実施の形態によって本発明が限定されるものではない。
【００２０】
（実施の形態１）
図１は、本発明の実施の形態１におけるレゾルバの角度検出装置を含むモータ制御装置のブロック図である。
【００２１】
図１に示すように、モータ制御装置１００は、レゾルバ２０を用いてモータ３０の回転子の角度位置を検出する角度検出装置１０を備えている。
【００２２】
図１において、レゾルバ２０は、１相励磁２相出力の方式であり、モータ３０に取り付けられる。レゾルバ２０は、Ａ相、Ｂ相の２相の信号を出力する。１相励磁２相出力の方式のレゾルバの構成の一例として、レゾルバ２０は、図１に模式的に示すように、励磁コイル２１と、２つの検出コイル２２、２３とを備えている。励磁コイル２１は、回転部２６に配置され、この回転部２６がモータ３０の回転子や回転軸と接続される。さらに、励磁コイル２１には、励磁信号が供給される。一方、検出コイル２２、２３は、例えば互いに９０度だけ配置角度が異なるように固定部２５に配置される。レゾルバ２０のこのような構成により、モータ３０の回転に従って、励磁信号が供給されている励磁コイル２１も回転する。そして、検出コイル２２、２３からは、励磁信号が電磁誘導されることで生じる信号が出力される。ここで、励磁コイル２１と検出コイル２２とが平行な位置関係のとき、検出コイル２２からは最大振幅の信号が出力される。このとき、励磁コイル２１と検出コイル２３とは直交する位置関係となるため、検出コイル２３からは最小振幅（一様にゼロあるいはゼロに近い振幅）の信号が出力される。そして、回転位置に応じながら、検出コイル２２および検出コイル２３からは、回転位置に対応した振幅の信号が出力される。すなわち、レゾルバ２０がこのように動作することで、レゾルバ２０からは、励磁信号が９０度の位相差で振幅変調されたように、検出コイル２２からＡ相信号ｖａが出力され、検出コイル２３からＢ相信号ｖｂが出力される。なお、励磁信号としては、例えば周波数を１０ＫＨｚとするような正弦波信号が一般的に利用される。
【００２３】
レゾルバ２０から出力される第１のレゾルバ出力信号としてのＡ相信号ｖａ、および第２のレゾルバ出力信号としてのＢ相信号ｖｂは、角度検出装置１０に供給される。角度検出装置１０は、この２相の信号からレゾルバ２０の角度位置、すなわちモータ３０の回転子の回転角度である角度位置を検出し、検出した角度位置に応じた信号をサーボアンプ１１２に出力する。サーボアンプ１１２は、検出された角度位置に従い、モータ３０の回転制御および駆動を行う。また、角度検出装置１０からは、励磁信号ｓｃが出力され、バッファー回路１１１を経由してレゾルバ２０の励磁コイル２１を励磁する。
【００２４】
次に、角度検出装置１０の内部の構成について説明する。角度検出装置１０は、図１に示すように、第１のＡＤ変換器であるアナログデジタルコンバータ（以下、ＡＤコンバータと記す）１０３と、第２のＡＤ変換器であるＡＤコンバータ１０４と、角度算出部であるＲＤ変換部１０５と、ベクトル長算出部１０６と、振幅調整部２０２と、インターフェイス処理部（以下、Ｉ／Ｆ処理部と記す）１０１と、信号生成部１１とを備えている。ＡＤコンバータ１０３、１０４は、所定のサンプリングタイミングで、レゾルバ２０の出力するＡ相信号ｖａ、Ｂ相信号ｖｂの各アナログ信号をそれぞれデジタル値に変換する。また、信号生成部１１は、励磁コイル２１を励磁するための励磁信号ｓｃとともに、ＡＤコンバータ１０３、１０４へ供給するサンプリング信号ｆｓを生成する。ＡＤコンバータ１０３、１０４は、このサンプリング信号ｆｓが示すサンプリングタイミングでデジタル変換する。ＡＤコンバータ１０３、１０４によってデジタル値に変換された信号は、ＲＤ変換（レゾルバ−デジタル変換）部であるＲＤ変換部１０５に供給される。ＲＤ変換部１０５は、ＡＤコンバータ１０３、１０４のそれぞれの出力値を用いて、レゾルバ２０の角度位置を示す角度検出信号ａｇに変換し（一般にトラッキングループなどの方法が用いられる）、これによってレゾルバ２０の角度が算出される。この角度検出信号ａｇは、角度検出装置１０とサーボアンプ１１２とのインターフェイスを行うＩ／Ｆ処理部１０１を経由して、サーボアンプ１１２に出力される。サーボアンプ１１２は、検出されたレゾルバ２０の角度位置、すなわちモータ３０の角度位置に従い、モータ３０の制御および駆動を行う。
【００２５】
また、信号生成部１１は、基準信号生成部１０８と、サンプリング信号生成部１０７と、励磁信号生成部１０９とを備えている。基準信号生成部１０８は、一般的にクロック信号と呼ばれるような所定の周波数の正弦波や矩形波を生成する発振器を有している。基準信号生成部１０８は、さらに、この発振器からの信号を用いて、基準タイミングとするような基準信号ｓｓを生成して出力する。信号生成部１１は、この基準信号ｓｓに基づいて各種の信号を生成している。すなわち、サンプリング信号生成部１０７は、基準信号生成部１０８の出力する基準信号ｓｓを元に所定の位相のサンプリング信号ｆｓを生成し、ＡＤコンバータ１０３、１０４にこのサンプリング信号ｆｓを出力する。また、励磁信号生成部１０９は、基準信号生成部１０８の出力する基準信号ｓｓを元に励磁信号ｓｃを生成して出力する。
【００２６】
信号生成部１１の具体的な一例として、信号生成部１１を次のように構成すればよい。基準信号生成部１０８は、１０ＭＨｚの信号の発振器とともに、この発振信号を分周するカウンタを有している。このような発振信号を１０００分の１に分周することで、１０ＫＨｚの信号が得られる。基準信号生成部１０８は、この１０ＫＨｚの信号を基準信号ｓｓとして励磁信号生成部１０９に供給する。励磁信号生成部１０９は、この基準信号ｓｓを利用して、１０ＫＨｚの正弦波信号を生成し、励磁信号ｓｃとして出力する。一方、サンプリング信号生成部１０７は、基準信号ｓｓを利用して、その整数倍の周波数の信号を生成する。例えば、基準信号ｓｓの４倍となる４０ＫＨｚのサンプリング信号ｆｓとすることで、ＡＤコンバータ１０３、１０４は、１０ＫＨｚのＡ相信号ｖａ、Ｂ相信号ｖｂに対し、１周期あたり４サンプル分をサンプリングする。なお、これらの周波数などは一例であり、適宜変更してよい。また、サンプリング信号生成部１０７が、例えば以下の実施の形態２で説明するような位相調整機能を備えた構成とし、サンプリング信号生成部１０７からは、適切な位相に調整されたサンプリング信号ｆｓが出力されるような構成としてもよい。
【００２７】
さらに、角度検出装置１０は、励磁信号ｓｃの振幅を適切な振幅に設定するために、ベクトル長算出部１０６と振幅調整部２０２とを備えている。ベクトル長算出部１０６は、ＡＤコンバータ１０３、１０４のそれぞれの出力値からベクトルの大きさを算出し、算出した大きさをベクトル長値ｖｌとしてサンプリングレートで時系列的に出力する。振幅調整部２０２は、ベクトル長算出部１０６から供給されたベクトル長値ｖｌに基づき、励磁信号ｓｃの振幅を調整する。
【００２８】
本実施の形態では、ベクトル長算出部１０６で算出されたベクトルの大きさの最大値が基準振幅値ｓｖｌとする所定の値となるように、振幅調整部２０２が、励磁信号生成部１０９で生成する励磁信号ｓｃの振幅を制御することで、励磁信号ｓｃの振幅調整を行っている。例えば、ベクトル長値ｖｌの最大値が基準振幅値ｓｖｌよりも小さい場合には、振幅調整部２０２は、励磁信号ｓｃの振幅が大きくなるように制御する。逆に、ベクトル長値ｖｌの最大値が基準振幅値ｓｖｌよりも大きい場合には、振幅調整部２０２は、励磁信号ｓｃの振幅が小さくなるように制御する。振幅調整部２０２がこのような制御を順次繰り返すことで、ＡＤコンバータ１０３、１０４に供給されるＡ相信号ｖａ、Ｂ相信号ｖｂの大きさの最適が図られる。このように、本実施の形態では、ＡＤコンバータ１０３、１０４とベクトル長算出部１０６と振幅調整部２０２と励磁信号生成部１０９とによって、Ａ相信号ｖａ、Ｂ相信号ｖｂの大きさがＡＤコンバータ１０３、１０４に対して最適なレベル範囲となるように、励磁信号ｓｃの振幅をフィードバック制御している。そして、本実施の形態では、ベクトル長算出部１０６で算出したベクトル長値ｖｌを用いてこのような振幅制御ループを構成することで、安定かつ精度よい角度位置の検出を図っている。なお、以上の説明では、ＲＤ変換部１０５、ベクトル長算出部１０６、振幅調整部２０２、Ｉ／Ｆ処理部１０１は個別の機能ブロックとして説明したが、これらデジタル値の処理を行うブロックに関しては、マイコンなどのプログラム実行による処理で行ってもよい。
【００２９】
以上のように構成されたモータ制御装置１００におけるレゾルバ２０の角度検出装置１０について、以下にその動作、作用を説明する。
【００３０】
図２は、本発明の実施の形態１における角度検出装置１０の主要な信号の波形を示す波形図である。図２において、図２（ａ）はＡ相信号ｖａとＢ相信号ｖｂとの波形、図２（ｂ）はベクトル長値ｖｌを示す波形、図２（ｃ）は基準信号ｓｓの波形、図２（ｄ）はサンプリング信号ｆｓの波形の一例を示している。また、図２の左側は、レゾルバ２０の角度位置θがθ0となる時刻近辺において、励磁信号ｓｃの略１周期半の期間の各波形を示している。そして、図２の右側は、角度位置θがθ1となる時刻近辺において、励磁信号ｓｃの略１周期半の期間の各波形を示している。
【００３１】
まず、レゾルバ２０におけるＡ相、Ｂ相の各信号は、一般に知られているように、レゾルバ内部において励磁信号ｓｃ（＝ｓｉｎωｔ）を振幅変調した信号となるが、互いに９０度の位相差で振幅変調される。このため、図２（ａ）に例示するように、角度位置θがθ0となる時刻近辺では、Ａ相信号ｖａの振幅の方がＢ相信号ｖｂよりも大きく、時間の経過に伴って、角度位置θがθ1なる時刻近辺になると、Ｂ相信号ｖｂの振幅の方がＡ相信号ｖａよりも大きくなる。Ａ相信号ｖａとＢ相信号ｖｂとは、このように、励磁信号ｓｃに応じた変化とともに、角度位置θに応じても、角度位置として９０度の位相差を互いに保持しながら変化する。
【００３２】
これより、レゾルバ２０の角度位置をθとすると、Ａ相信号ｖａは、Ａｓｉｎθｓｉｎωｔ、Ｂ相信号ｖｂは、Ａｃｏｓθｓｉｎωｔで表せる。ここで、ＡｓｉｎθとＡｃｏｓθとは、信号の振幅を意味し、互いに９０度の位相差となる。すなわち、Ａ相信号ｖａは、（ｓｉｎωｔ）の励磁信号ｓｃがＡｓｉｎθで振幅変調され、Ｂ相信号ｖｂは、（ｓｉｎωｔ）の励磁信号ｓｃがＡｃｏｓθで振幅変調されたような信号となる。特に、Ａ相信号ｖａの振幅の絶対値が最大、すなわち”Ａ”のとき、Ｂ相信号ｖｂの振幅はゼロとなり、Ｂ相信号ｖｂの振幅の絶対値が最大、すなわち”Ａ”のとき、Ａ相信号ｖａの振幅はゼロとなる。
【００３３】
ＲＤ変換部１０５は、Ａ相信号ｖａの振幅Ａｓｉｎθに対応したＡＤコンバータ１０３の出力値、およびＢ相信号ｖｂの振幅Ａｃｏｓθに対応したＡＤコンバータ１０４の出力値から、両出力値の比、すなわち（Ａｓｉｎθ／Ａｃｏｓθ）に対応した値を求める。さらに、ＲＤ変換部１０５は、この値の逆正接（ａｒｃＴａｎ）を求めることで、レゾルバ２０の角度位置θを算出している。
【００３４】
また、Ａ相信号ｖａ、Ｂ相信号ｖｂは、互いに９０度の位相差で振幅変調されるので、この２つの信号をベクトルと考えると、ベクトルの大きさであるベクトル長は次の式１の平方根となる。
【００３５】
（Ａｓｉｎθｓｉｎωｔ）2  ＋  （Ａｃｏｓθｓｉｎωｔ）2  ＝  （Ａｓｉｎωｔ）2・・・（式１）
すなわち、ベクトル長は｜Ａｓｉｎωｔ｜（Ａｓｉｎωｔの絶対値）となる。これを図２（ｂ）に示す。図２（ｂ）に示すように、ベクトル長は、値”０”の最小ベクトル長値から、値”Ａ”の最大ベクトル長値を周期的に繰り返す波形となる。ベクトル長算出部１０６は、上記の式１に基づき、ＡＤコンバータ１０３の出力値の２乗とＡＤコンバータ１０４の出力値の２乗とを加算した２乗和の値を求め、さらに、２乗和の値の平方根を求めることで、ベクトルの大きさであるベクトル長を算出している。そして、ベクトル長算出部１０６は、このようなベクトル長に対応した時系列のベクトル長値ｖｌを出力する。
【００３６】
レゾルバ２０の角度位置θが変化すると、上述のようにＡ相信号ｖａ、Ｂ相信号ｖｂは、その振幅も変化する。これに対し、前述のベクトル長は、図２（ｂ）に示すように、レゾルバ２０の角度位置θによらず、一定の振幅、すなわち振幅”Ａ”であり、かつ基準信号ｓｓおよびＡ相信号ｖａ、Ｂ相信号ｖｂに同期した信号となる。従って、レゾルバ２０が回転中であっても、振幅”Ａ”に相当する最大ベクトル長の値を検出することは容易である。このため、これによって励磁信号生成部１０９の出力する励磁信号ｓｃの最適な振幅も、容易に決定することができる。
【００３７】
また、基準信号生成部１０８の出力する基準信号ｓｓを図２（ｃ）に示す。図２（ｃ）に例示するような波形の基準信号ｓｓは、例えば、基準信号生成部１０８が備えた発振器のクロック信号などをカウンタでカウントし、カウンタ出力をＤＡコンバータでアナログ信号に変換することで生成できる。より具体的には、例えば、１０ＭＨｚのクロック信号をカウンタで１０００クロック分のカウントを繰り返すことで、１０ＫＨｚで図２（ｃ）に示すような波形となる基準信号ｓｓが得られる。
【００３８】
励磁信号ｓｃ（＝ｓｉｎωｔ）は、このような基準信号ｓｓを元に励磁信号生成部１０９において生成された後、バッファー回路１１１を経由してレゾルバ２０に入力される。
【００３９】
また、サンプリング信号生成部１０７が生成するサンプリング信号ｆｓの一例を図２（ｄ）に示す。ここでは、基準信号ｓｓの１周期中に４回サンプリングするような一例を示している。特に、基準信号ｓｓの１周期中に２のＮ（Ｎは正の整数）乗回サンプリングする構成とすることで、図２（ｄ）に例示するように時系列のベクトル長値ｖｌには最大ベクトル長に対応した値が含まれるため、最大ベクトル長を容易に検出できる。
【００４０】
次に、上述の振幅調整部２０２および励磁信号生成部１０９の構成例について説明する。図３は、振幅調整部２０２および励磁信号生成部１０９の一構成例を示すブロック図である。また、図４は、励磁信号生成部１０９の各信号の波形を示す波形図である。
【００４１】
図３に示すように、まず、振幅調整部２０２は、時系列に供給されるベクトル長値ｖｌから最大ベクトル長の値を検出する最大値検出部２２１と、減算演算を行う減算部２２２と、積分演算を行う積分演算部２２３とを備える。
【００４２】
最大値検出部２２１にはベクトル長値ｖｌが供給され、最大値検出部２２１は、時系列に供給されるベクトル長値ｖｌから、最大ベクトル長の値を検出する。最大値検出部２２１のより具体的な構成例として、基準信号ｓｓの１周期中に２のＮ乗回サンプリングする構成とし、順次供給されるベクトル長値ｖｌから、例えば図２（ｂ）での時刻ｔ０におけるベクトル長値ｖｌのような最大値を抽出することで、最大ベクトル長の値を検出できる。また、例えばアナログ回路での全波整流した脈流を平滑する平滑回路のように、ベクトル長値ｖｌをローパスフィルタ処理したり、デジタル的にはトランスバーサル形のデジタルフィルタでローパスフィルタ処理したりすることによっても、最大ベクトル長に対応した値を検出することができる。要するに、最大値検出部２２１は、｜Ａｓｉｎωｔ｜となるベクトル長の最大値”Ａ”に対応する値を求める構成であればよい。最大値検出部２２１は、検出した最大ベクトル長の値を最大ベクトル長値ｍｖｌとして出力する。
【００４３】
最大ベクトル長値ｍｖｌは、減算部２２２に供給される。減算部２２２は、あらかじめ設定された基準振幅値ｓｖｌとベクトル長算出部１０６からの最大ベクトル長値ｍｖｌとの差分値ｄｖｌを算出する。このように算出された差分値ｄｖｌが積分演算部２２３で積分され、その積分値が減衰制御値ｃａとして積分演算部２２３から励磁信号生成部１０９へと出力される。
【００４４】
次に、励磁信号生成部１０９は、矩形波パルス生成部１９１と、減衰器１９２と、スイッチトキャパシタフィルタ１９３とを備えている。矩形波パルス生成部１９１は、図４（ａ）に示す基準信号ｓｓを入力して図４（ｂ）に示す矩形波パルスを出力する。減衰器１９２は、図４（ｂ）に示す矩形波パルスを入力してその振幅を、振幅調整部２０２からの減衰制御値ｃａに応じた減衰量で減衰させて出力する。この信号を図４（ｃ）に示す。より具体的には、減衰器１９２は、基準とするような基準減衰量が設定されている。そして、減衰器１９２は、減衰制御値ｃａが大きくなると、その大きさに応じて基準減衰量からの減衰量を大きくし、出力する矩形波パルスの振幅を小さくする。逆に、減衰器１９２は、減衰制御値ｃａが小さくなると、それに応じて基準減衰量からの減衰量を小さくして、出力する矩形波パルスの振幅を大きくするように動作する。また、スイッチトキャパシタフィルタ１９３は、急峻なローパスフィルタの特性を有す。スイッチトキャパシタフィルタ１９３は、減衰器１９２の出力するパルス信号を入力し、高調波を大幅に減衰させることで、基本波である正弦波に変換して出力する。この信号が図４（ｄ）に示すような励磁信号ｓｃとして出力される。この場合、スイッチトキャパシタフィルタ１９３のカットオフ周波数は、これに入力されるスイッチトキャパシタフィルタ制御用のクロック信号ｓｃｋの周波数によって決定される。ここで、高調波を効果的に減衰させるためには、基本波の周波数よりも若干大きい値、例えば、基本波周波数の１．２倍程度に設定する必要がある。逆に、この性質を応用すると、励磁信号ｓｃの周波数を切り替えたい場合、基準信号ｓｓの周波数を切り替えると同時に、スイッチトキャパシタフィルタ１９３に入力されるクロック信号ｓｃｋの周波数も比例的に切り替えることで、励磁信号ｓｃの周波数の切り替えが容易に実現できる。
【００４５】
以上のような振幅調整部２０２および励磁信号生成部１０９の構成により、最大ベクトル長値ｍｖｌが基準振幅値ｓｖｌよりも小さい場合には、振幅調整部２０２は、励磁信号ｓｃの振幅が大きくなるように、減衰器１９２の減衰量を制御する。逆に、最大ベクトル長値ｍｖｌが基準振幅値ｓｖｌよりも大きい場合には、振幅調整部２０２は、励磁信号ｓｃの振幅が小さくなるように減衰器１９２の減衰量を制御する。本実施の形態では、このような制御を制御ループとして順次繰り返すことで、最大ベクトル長が所望の値となるように制御し、ＡＤコンバータ１０３、１０４に供給されるＡ相信号ｖａ、Ｂ相信号ｖｂの大きさを調整している。
【００４６】
一般には、ＡＤコンバータ１０３、１０４に入力されるＡ相信号ｖａおよびＢ相信号ｖｂの振幅がＡＤコンバータ１０３、１０４の入力レンジをオーバーしないように、なおかつ、できるだけ振幅が大きくなるように励磁信号ｓｃの振幅を調整することで、ＳＮ比の良い、高精度な角度検出の動作が可能となる。このような考えに基づき、本実施の形態では、最大ベクトル長の値が所望の値となるように制御し、ＡＤコンバータ１０３、１０４に供給されるＡ相信号ｖａ、Ｂ相信号ｖｂの大きさの最適を図っている。
【００４７】
図５は、電源投入時の初期調整の過程において、減衰器１９２の減衰量が上述の振幅制御で変化し、励磁信号ｓｃの振幅が最適値へと調整される動作を示した例であり、最大ベクトル長の変化を示している。時刻ｔ１から励磁信号ｓｃの振幅を増大させ、時刻ｔ２にて最大ベクトル長の値が適正値、すなわち最大ベクトル長値ｍｖｌが基準振幅値ｓｖｌとなる。そこで、時刻ｔ２において、振幅調整部２０２による減衰量の調整動作が終了し、励磁信号ｓｃの振幅が所望のレベルに安定化され、保持される。
【００４８】
なお、このような初期調整の過程において、励磁信号の振幅の調整量を変化させても最大ベクトル長の値が適正値に調整できなかった場合は、レゾルバ２０の角度検出装置１０になんらかの異常が生じていると判断できる。よって、このような場合には、角度検出装置１０がサーボアンプ１１２に対してエラー情報を出力することで、モータの制御および駆動に伴う危険を回避することが可能である。
【００４９】
さらに加えて、最大ベクトル長の値を常時監視することで、例えば断線などによってレゾルバ２０からの信号になんらかの異常が生じた場合の判定が可能となる。図６は、モータ３０が回転している状態において、時刻ｔ３にてＡ相信号ｖａ、Ｂ相信号ｖｂの信号のうちのどちらか片方が断線した場合の最大ベクトル長値ｍｖｌの変化を示したものである。このように、最大ベクトル長値ｍｖｌの変化量として設定された所定の許容値ΔＬを超えて値が変動した場合は、レゾルバ２０からの信号に異常が生じていると判断できる。このような判断に基づき、角度検出装置１０がサーボアンプ１１２に対してエラー情報を出力することで、モータの制御および駆動に伴う危険を回避することが可能である。
【００５０】
また、前述の説明において、ベクトル長の計算は、通常、平方根の演算が必要となるが、処理時間などの関係から平方根の演算を省略しても良い。図７（ｂ）に平方根の演算を省略した場合を示す。すなわち、ベクトル長算出部１０６が（Ａ相2＋Ｂ相2）とする演算を行い、その演算結果をベクトル長値ｖｌとして出力しても結果は前述と同一となり、このような構成であってもよい。
【００５１】
（実施の形態２）
図８は、本発明の実施の形態２におけるレゾルバの角度検出装置を含むモータ制御装置のブロック図である。
【００５２】
図８に示すように、本実施の形態においては、モータ制御装置４００が、レゾルバ２０を用いてモータ３０の回転子の角度位置を検出する角度検出装置４０を備えた構成としている。本実施の形態の角度検出装置４０は、図１に示す実施の形態１の角度検出装置１０との比較において、さらにタイミング調整部４０２を備えるとともに、信号生成部４１の構成が異なっている。本実施の形態では、実施の形態１での振幅調整機能に加えて、サンプリング信号ｆｓの位相を適切な位相に調整するような位相調整機能を備えた構成とし、さらに安定かつ精度よい角度位置の検出を図っている。なお、図８において、図１と同一の構成要素には同一の符号を付しており、詳細な説明は省略する。
【００５３】
角度検出装置４０において、信号生成部４１は、基準信号生成部１０８と、サンプリング信号生成部４０７と、励磁信号生成部１０９とを備えている。ここで、本実施の形態では、サンプリング信号生成部４０７は、基準信号生成部１０８の出力する基準信号ｓｓを元に位相を調整してサンプリング信号ｆｓを生成し、ＡＤコンバータ１０３、１０４にサンプリング信号ｆｓを出力している。さらに、角度検出装置４０は、サンプリング信号ｆｓのサンプリングタイミング、すなわちサンプリング信号ｆｓのサンプリング位相を、適切な位相に設定するために、タイミング調整部４０２を備えている。
【００５４】
タイミング調整部４０２は、ベクトル長算出部１０６から供給されたベクトル長値ｖｌに基づき、ベクトル長値ｖｌが極値となるように、サンプリング信号生成部４０７で生成するサンプリング信号ｆｓのタイミング調整を行う。すなわち、タイミング調整部４０２は、ベクトル長値ｖｌが最大値あるいは最小値となるように、サンプリング信号生成部４０７に対して位相調整信号ｄｐを出力し、サンプリング信号ｆｓのサンプリング位相を制御する。例えば、ベクトル長値ｖｌが最大値となるように制御する場合、タイミング調整部４０２は、サンプリング信号ｆｓの位相を例えば遅れ方向へ変化させ、このとき、ベクトル長値ｖｌが小さくなるようならば、進み方向へと変化させる。逆に、ベクトル長値ｖｌが大きくなるようならば、さらに遅れ方向へと変化させる。タイミング調整部４０２がこのような制御を順次繰り返すことで、ベクトル長値ｖｌが最大値となるサンプリング位相へと収束する。そして、このようなベクトル長値ｖｌが最大値となるサンプリングタイミングで、サンプリング信号ｆｓがＡＤコンバータ１０３、１０４に供給される。すなわち、本実施の形態では、ＡＤコンバータ１０３、１０４とベクトル長算出部１０６とタイミング調整部４０２とサンプリング信号生成部４０７とによって、ベクトル長値ｖｌが極値となるように、サンプリング信号ｆｓをフィードバック位相制御する位相制御ループを構成している。特に、本実施の形態では、ベクトル長算出部１０６で算出したベクトル長値ｖｌを利用して位相調整を行う構成としている。このため、レゾルバ２０が回転中であっても、ベクトル長が最大あるいは最小となるタイミングを正確に検出することは容易であり、これによってサンプリング信号生成部１０７の出力するサンプリング信号ｆｓの最適なタイミングを決定することができる。そして、本実施の形態では、ベクトル長値ｖｌを用いてこのような位相制御ループを構成することで、サンプリング信号ｆｓの安定化とともに、安定かつ精度よい角度位置の検出を図っている。
【００５５】
以上のように構成されたモータ制御装置４００におけるレゾルバ２０の角度検出装置４０について、以下にその動作、作用を説明する。
【００５６】
図９は、本発明の実施の形態２における角度検出装置４０の主要な信号の波形を示す波形図であり、図２と同様に、図９（ａ）はＡ相信号ｖａとＢ相信号ｖｂとの波形、図９（ｂ）はベクトル長値ｖｌを示す波形、図９（ｃ）は基準信号ｓｓの波形、図９（ｄ）はサンプリング信号ｆｓの波形の一例を示している。
【００５７】
以下、図９を参照しながら、このようなサンプリングタイミングを補正するための、本実施の形態におけるサンプリング信号ｆｓの位相を調整する構成および動作について説明する。
【００５８】
まず、励磁信号ｓｃは、基準信号ｓｓを元に励磁信号生成部１０９において生成された後、バッファー回路１１１を経由してレゾルバ２０に入力される。従って、基準信号ｓｓとＡ相信号ｖａ、Ｂ相信号ｖｂとの位相関係は、基準信号ｓｓからＡＤコンバータ１０３、１０４によってデジタル値に変換されるまでの伝達過程における位相遅れ、遅延などによって影響を受ける。しかも、位相遅れは、温度変化、経時変化によっても影響を受ける可能性があるため、位相の調整が必要となる。図９では、基準信号ｓｓが大きく変化する立下りの時刻ｔ１０や時刻ｔ２０を基準として励磁信号ｓｃの振幅が最大となるとき、Ａ相信号ｖａやＢ相信号ｖｂが時刻ｔ１１や時刻ｔ２１まで位相遅れが生じた場合を示している。そして、このような位相の遅れたタイミングでＡＤ変換すると、図９（ｂ）に示すようなベクトル長の最大値からずれた値を取り込むことになり、ＳＮ比の劣化を招く。
【００５９】
本実施の形態では、このような位相遅れによる影響を抑制するため、タイミング調整部４０２がサンプリング信号生成部４０７によって生成されるサンプリング信号ｆｓの位相を調整している。
【００６０】
図９（ｄ）では、サンプリング信号生成部４０７が生成するサンプリング信号ｆｓの一例を示している。ここでは、基準信号ｓｓの１周期中に４回サンプリングするような一例を示している。
【００６１】
図９に示すように、タイミング調整部４０２は、位相補正量ＤＰとなるような位相調整信号ｄｐをサンプリング信号生成部４０７に供給している。このため、ＡＤコンバータ１０３、１０４は、Ａ相信号ｖａ、Ｂ相信号ｖｂの最大値をサンプリングするような位相で両信号を取り込む。そして、本実施の形態では、ベクトル長算出部１０６で算出したベクトル長値ｖｌを用いて、このベクトル長値ｖｌが最大値となるサンプリングタイミングを生成している。なお、本実施の形態では、上述のようにフィードバック位相制御する位相制御ループによって、最大値となるベクトル長値ｖｌをサンプリングしている。また、上述のように、ベクトル長値ｖｌが最小値となるサンプリングタイミングを生成する位相制御ループであってもよい。
【００６２】
このように、サンプリング信号生成部４０７は、ベクトル長算出部１０６の出力信号からサンプリング信号ｆｓの最適なタイミングを決定するような構成としているので、基準信号ｓｓに対するサンプリング信号ｆｓの位相を自動的に調整することができ、結果としてＳＮ比の良いレゾルバ２０の角度検出信号ａｇが得られる。
【００６３】
次に、振幅調整および位相調整の両調整について説明する。
【００６４】
振幅調整部２０２による励磁信号ｓｃの振幅調整は、基本的には前述における基準信号ｓｓに対するサンプリング信号ｆｓの位相を調整した後に行う。ところが、これら位相の調整時において、ＡＤコンバータ１０３、１０４に入力される信号の振幅が大きすぎた場合、ＡＤコンバータ１０３、１０４の入力レンジをオーバーしてしまい、飽和状態となり、入力される信号の大きさを正常にデジタル値に変換することができない。また、逆にＡＤコンバータ１０３、１０４に入力される信号の振幅が小さすぎた場合、ＡＤコンバータ１０３、１０４の変換分解能を有効に生かすことができず、ＳＮ比が悪化し、前述のような精度の良い位相の調整ができないおそれが生じる。
【００６５】
そのような場合においては、前述のベクトル長が適正値になるように励磁信号ｓｃの振幅を調整する処理を途中に交えながら、位相の調整を行うことで、ＡＤコンバータ１０３、１０４に入力される信号の振幅が自動的に適正値になるため、高精度な位相の調整が可能となり、結果として、ＳＮ比の良い、高精度な角度検出の動作が可能となる。
【００６６】
なお、本実施の形態でも、図７で説明したように、ベクトル長の計算において処理時間などの関係から平方根の演算を省略しても良い。すなわち、（Ａ相2＋Ｂ相2）の最大値あるいは最小値となるタイミングを検出しても結果は上述の構成と同一となる。
【００６７】
（実施の形態３）
図１０は、本発明の実施の形態３におけるレゾルバの角度検出装置を含むモータの制御装置のブロック図である。
【００６８】
図１０に示すように、本実施の形態においては、モータ制御装置５００が、レゾルバ２０を用いてモータ３０の回転子の角度位置を検出する角度検出装置５０を備えた構成としている。本実施の形態の角度検出装置５０は、図８に示す実施の形態２の角度検出装置４０との比較において、信号生成部５１の構成が異なっている。
【００６９】
信号生成部５１において、サンプリング信号生成部１０７は、位相を調整することなく、サンプリング信号ｆｓをＡＤコンバータ１０３、１０４に対して出力する。逆に、励磁信号生成部５０９は、実施の形態１や２の励磁信号生成部１０９とは異なり、基準信号生成部１０８の出力する基準信号ｓｓを元に、タイミング調整部１０２からの位相調整信号ｄｐによって位相を調整した励磁信号ｓｃを生成して出力する。
【００７０】
本実施の形態では、このような構成により、ＡＤコンバータ１０３、１０４とベクトル長算出部１０６とタイミング調整部４０２と励磁信号生成部５０９とによって、ベクトル長値ｖｌが極値となるように、励磁信号ｓｃをフィードバック位相制御する位相制御ループを構成している。
【００７１】
例えば、ベクトル長値ｖｌを最大値となるように制御する場合、タイミング調整部４０２は、励磁信号ｓｃの位相を例えば遅れ方向へ変化させ、このとき、ベクトル長値ｖｌが小さくなるようならば、進み方向へと変化させる。逆に、ベクトル長値ｖｌが大きくなるようならば、さらに遅れ方向へと変化させる。タイミング調整部４０２が励磁信号生成部５０９に対して、このような制御を順次繰り返すことによっても、ベクトル長値ｖｌが最大値となるサンプリング位相へと収束する。そして、このようなベクトル長値ｖｌが最大値となるサンプリングタイミングで、サンプリング信号ｆｓがＡＤコンバータ１０３、１０４に供給される。
【００７２】
以上のように構成されたモータ制御装置５００におけるレゾルバ２０の角度検出装置５０について、以下にその動作、作用を説明する。
【００７３】
図１０に示す角度検出装置５０における各信号の波形図を図１１（ａ）〜（ｃ）に示す。サンプリング信号生成部１０７は、図１１（ｃ）に示す基準信号ｓｓのオーバーフロー時刻ｔ３０、ｔ３２およびその中間の時刻ｔ３１において、サンプリング信号ｆｓをＡＤコンバータ１０３、１０４に対して出力する。励磁信号生成部５０９は、図１１（ｂ）に示すベクトル長算出部１０６の出力するベクトル長値ｖｌが時刻ｔ３０、ｔ３１、ｔ３２において最大となるように、基準信号生成部１０８の出力する基準信号ｓｓを元に、タイミング調整部１０２によって位相が調整され、このように位相調整された励磁信号ｓｃを生成して出力する。これによって、図１１（ａ）に示すＡ相信号ｖａ、Ｂ相信号ｖｂの振幅は、時刻ｔ３０、ｔ３１、ｔ３２において、最もＳＮ比の良い状態でＡＤコンバータ１０３、１０４によってデジタル値に変換されることになる。
【００７４】
このように、本実施の形態では、基準信号ｓｓを元に励磁信号ｓｃの位相を自動的に最適に調整することができ、結果としてＳＮ比の良いレゾルバ２０の角度検出信号ａｇが得られる。
【００７５】
すなわち、図１０に示す構成によって、常に安定かつ高精度にレゾルバの角度検出を行うことができる。
【００７６】
なお、振幅調整および位相調整の両調整について、実施の形態２と同様に、振幅調整部２０２による励磁信号ｓｃの振幅調整を、基本的には前述における基準信号ｓｓに対する励磁信号ｓｃの位相を調整した後に行えばよい。また、前述のベクトル長が適正値になるように励磁信号ｓｃの振幅を調整する処理を途中に交えながら、励磁信号ｓｃの位相の調整を行ってもよい。
【産業上の利用可能性】
【００７７】
以上のように、本発明にかかるレゾルバの角度検出装置は、レゾルバの特性ばらつき、温度変化あるいは経時変化なども含めて自動的にレゾルバの出力信号の振幅調整が可能であり、常に安定して精度のよいレゾルバの角度位置検出が可能である。従って、産業用ＦＡサーボモータなどに適用することが可能である。
【符号の説明】
【００７８】
１０，４０，５０，１１０２    角度検出装置
１１，４１，５１    信号生成部
２０    レゾルバ
２１    励磁コイル
２２，２３    検出コイル
２５    固定部
２６    回転部
３０    モータ
１００，４００，５００    モータ制御装置
１０１，１１０    Ｉ／Ｆ処理部
１０２，４０２    タイミング調整部
１０３，１０４    ＡＤコンバータ
１０５    ＲＤ変換部
１０６    ベクトル長算出部
１０７，４０７，１１０７    サンプリング信号生成部
１０８    基準信号生成部
１０９，５０９    励磁信号生成部
１１１    バッファー回路
１１２    サーボアンプ
１９１    矩形波パルス生成部
１９２    減衰器
１９３    スイッチトキャパシタフィルタ
２０２    振幅調整部
２２１    最大値検出部
２２２    減算部
２２３    積分演算部
【図１】
2014122885.tif 000003
【図２】
2014122885.tif 000004
【図３】
2014122885.tif 000005
【図４】
2014122885.tif 000006
【図５】
2014122885.tif 000007
【図６】
2014122885.tif 000008
【図７】
2014122885.tif 000009
【図８】
2014122885.tif 000010
【図９】
2014122885.tif 000011
【図１０】
2014122885.tif 000012
【図１１】
2014122885.tif 000013
【図１２】
2014122885.tif 000014
【図１３】
2014122885.tif 000015